(57)【要約】      （修正有） 【課題】大きな墓とすることなく、夫妻がそれぞれの実家を供養でき、しかも、供養をする夫妻の心情にやさしく、第三者にも違和感がなく、供養のし易い墓を提供する。【解決手段】内部に仕切11を設けて左右二室の納骨室12a，12bに区画した二世帯カロート10を備え、正面の一つの四ツ石21には、二つの納骨室12a，12bに対応する二つの納骨口22a，22bを形成すると共に、納骨口22a，22bのそれぞれの上部に、奧に向かって３分しずめた平面部23a，23bが形成してある。平面部23a，23bは、当該墓を建立した夫妻のそれぞれの氏を彫刻するための部分である。香炉台（脚部）33の背板41には、中仕切44，45で仕切られると共に納骨口22a，22bと連通する虫除け網付きの通気口46a，46bが形成されている。中仕切44，45は、いずれも、その奧の部分に開口47，48が形成されている。【選択図】図１
0003117055.tif 000002
【実用新案登録請求の範囲】
【請求項１】
地下に埋設したカロートの上に四ツ石を設置すると共に、この四ツ石の上に、中台、上台及び竿石を設置し、前記四ツ石の正面の一つに納骨口を形成すると共に、この納骨口を塞ぐ様に香炉台を設置し、さらに、以下の構成をも採用したことを特徴とする二世帯カロートを備えた墓石。
（１）  前記カロートの内部に仕切を設けて左右二室に区画したこと。
（２）  前記納骨口は、前記区画されたカロート内の二室に対応させて、前記納骨口を二つ形成したこと。
（３）  前記二つの納骨口のそれぞれの上部に、奧に向かって所定深さ彫り込んだ平面部を形成したこと。
【請求項２】
さらに、以下の構成をも採用したことを特徴とする請求項１記載の二世帯カロートを備えた墓石。
（４）  前記カロート内の仕切には、貫通孔を形成したこと。
【請求項３】
さらに、以下の構成をも採用したことを特徴とする請求項１又は２記載の二世帯カロートを備えた墓石。
（５）  前記香炉台には、前記各納骨口に、それぞれ別々に連通する虫除け網付きの二個の通気口を形成すると共に、この通気口の間を仕切る仕切板を備えていること。
（６）  前記香炉台に形成した仕切り板は、その奧の部分を開口させてあること。
【考案の詳細な説明】
【技術分野】
【０００１】
本考案は、二世帯カロートを備えた墓石に関するものである。
【背景技術】
【０００２】
近年、少子化、核家族化等により、妻の実家に後継者がなくなるなど、墓の管理・供養が困難になるという問題がある。
【０００３】
こうした問題に対し、例えば、納骨室を２面背合わせとした形状でそれぞれ開閉口を設け、墓碑は１つとし、背合わせで２面それぞれ正面とする墓が提案されている（特許文献１）。
【０００４】
また、通常の墓より納骨室を広く取り、この納骨室の中に補強兼用の仕切り板を差込み、仕切り板にて隔離された各部屋の前面あるいは後面には開口部を設けて骨壺を収納する地上納骨室とし、この地上納骨室の下部には、古い遺骨を土に返して弔うための地下納骨室を配設し、地下納骨室の上面には開閉脱着自在の蓋板を配設すると共に、開放状態の地下納骨室の底部には玉砂利、砂等を敷き詰めた構造の家族墓も提案されている（特許文献２）。 
【特許文献１】特開２００１−６５２０４（特許請求の範囲、図１〜図３）
【特許文献２】実用新案登録第３０５７１７２号公報（要約、図１〜図５）
【考案の開示】
【考案が解決しようとする課題】
【０００５】
特許文献１の墓は、背合わせに正面を持った墓であるため、墓地における設置・管理・供養がやりにくく、また、二世帯によそよそしさがあることから、供養者の心情にも馴染みにくいという問題がある。
【０００６】
特許文献２の墓は、長く続いた家の先祖代々の遺骨を納めるための大きな墓である。このため、図４にある様に、先祖代々の墓碑の両脇に家族墓としての墓碑を建立するなどしており、夫妻が、それぞれの実家を供養する墓としては採用し難いという問題がある。
【０００７】
そこで、本考案は、大きな墓とすることなく、夫妻がそれぞれの実家を供養でき、しかも、供養をする夫妻の心情にやさしく、第三者にも違和感がなく、供養のし易い墓を提供することを目的とするものである。
【課題を解決するための手段】
【０００８】
上記目的を達成するためになされた本考案の二世帯カロートを備えた墓石は、地下に埋設したカロートの上に四ツ石を設置すると共に、この四ツ石の上に、中台、上台及び竿石を設置し、前記四ツ石の正面の一つに納骨口を形成すると共に、この納骨口を塞ぐ様に香炉台を設置し、さらに、以下の構成をも採用したことを特徴とする。
（１）  前記カロートの内部に仕切を設けて左右二室に区画したこと。
（２）  前記納骨口は、前記区画されたカロート内の二室に対応させて、前記納骨口を二つ形成したこと。
（３）  前記二つの納骨口のそれぞれの上部に、奧に向かって所定深さ彫り込んだ平面部を形成したこと。
【０００９】
本考案の墓石によれば、カロート内を左右二室に区画し、それぞれに対応する納骨口を備え、各納骨口の上部に奧に向かって所定深さ彫り込んだ平面部を形成したので、夫妻は、それぞれの世帯名をこの平面部に彫刻することができ、しかも、普段はこの納骨口の部分は香炉台で覆われているので、第三者が見たときに違和感もなく、夫妻それぞれが、お互いの実家をやさしく供養することができる。
【００１０】
なお、上記目的を達成する上で、さらに、以下の構成をも採用するとよい。
（４）  前記カロート内の仕切には、貫通孔を形成したこと。
【００１１】
かかる構成をも採用することで、仕切によって区画された納骨室の間が連通し、妻は夫とも両親ともつながれた状態で埋葬されるという安心感があり、墓の建立者にとって気持ちのよいものとなる。
【００１２】
また、上記目的を達成する上で、さらに、以下の構成をも採用するとよい。
（５）  前記香炉台には、前記各納骨口に、それぞれ別々に連通する虫除け網付きの二個の通気口を形成すると共に、この通気口の間を仕切る仕切板を備えていること。
（６）  前記香炉台に形成した仕切り板は、その奧の部分を開口させてあること。
【００１３】
納骨口を二つにしたことから、納骨室の換気用として通気口二つを設け、さらに、それぞれの納骨室が別の世帯の遺骨を納める場所であることから、間に仕切板を設けて世帯を尊重し、その上で、仕切板の奧は連通させることで、仲の良い夫妻のつながりを確保するといったやさしさがあふれ、しかも、第三者にとって違和感を与えず、かつ、納骨室の換気という機能をも達成するものとなる。
【考案の効果】
【００１４】
本考案によれば、大きな墓とすることなく、夫妻がそれぞれの実家を供養でき、しかも、供養をする夫妻の心情にやさしく、第三者にも違和感がなく、供養のし易い墓を提供することができる。
【考案を実施するための最良の形態】
【００１５】
以下、本考案を具体化した実施形態を図面を参照しながら詳細に説明する。実施形態の二世帯カロートを備えた墓石１は、図１，図２に示す様に、内部に仕切１１を設けて左右二室の納骨室１２ａ，１２ｂに区画した二世帯カロート１０を備えている。この二世帯カロート１０は、遺骨は大地に帰すべきとの考えから、下面開放の状態で地下に埋設される。また、カロート１０内の仕切１１には、貫通孔１３が形成されている。
【００１６】
この二世帯カロート１０の上に配置される四ツ石２０の内、正面の一つの四ツ石２１には、図３に示す様に、カロート１０内の二つの納骨室１２ａ，１２ｂに対応させて、二つの納骨口２２ａ，２２ｂを形成すると共に、納骨口２２ａ，２２ｂのそれぞれの上部に、奧に向かって３分しずめた平面部２３ａ，２３ｂが形成してある。この平面部２３ａ，２３ｂは、当該墓を建立した夫妻のそれぞれの氏を彫刻するための部分である。
【００１７】
正面の四ツ石２１の前には、前置板３１、香炉台載置板３２、香炉台（脚部）３３、香炉台（天板）３４、香炉３５ａ，３５ｂが設置される。また、香炉台の左右には花立３６，３７が設置される。
【００１８】
香炉台（脚部）３３は、図４に示す様に、背板４１、側板４２，４３、中仕切４４，４５を一体に構成したものである。そして、背板４１には、側板４２と中仕切４４の間及び側板４３と中仕切４５の間に位置する虫除け網付きの二個の通気口４６ａ，４６ｂが形成されている。これらの通気口４６ａ，４６ｂは、各納骨口２２ａ，２２ｂに連通する位置関係になっている。また、中仕切４４，４５は、いずれも、その奧の部分に開口４７，４８が形成されている。
【００１９】
そして、本実施形態の墓石１は、さらに、四ツ石２０の上に、中台５１、上台５２及び竿石５３を設置して完成する。
【００２０】
本実施形態の墓石１によれば、カロート１０内を左右二室１２ａ，１２ｂに区画し、それぞれに対応する納骨口２２ａ，２２ｂを備え、各納骨口２２ａ，２２ｂの上部に奧に向かって所定深さ彫り込んだ平面部２３ａ，２３ｂを形成したので、夫妻は、それぞれの氏をこの平面部２３ａ，２３ｂに彫刻することができ、しかも、普段はこの納骨口２２ａ，２２ｂの部分は香炉台３３で覆われているので、第三者が見たときに違和感もなく、夫妻それぞれが、お互いの実家をやさしく供養することができる。
【００２１】
しかも、仕切１１によって区画された納骨室１２ａ，１２ｂの間が貫通孔１３によって連通しているので、仮に、将来、妻が夫側の納骨室１２ａに埋葬されたとしても、その反対側の納骨室１２ｂに埋葬されている妻の両親ともつながりを絶たれることがなく、将来に対する安心感が得られる。よって、墓を建立した夫妻にとって、安心で気持ちのよいものとなる。
【００２２】
また、納骨室の換気用として設けた二つの通気口４６ａ，４６ｂも、外から見た目には中仕切４４，４５で仕切られているので、見た目に違和感がない。しかし、中仕切４４，４５の奧は連通されているので、仲の良い夫妻にとって、お互いの両親の遺骨が隔離されることがなく、さらいん、納骨室の換気という実用的な意味の機能をも達成する。
【００２３】
以上、考案を実施するための最良の形態としての一実施形態を説明したが、本考案は、これに限定されるものではなく、その要旨を逸脱しない範囲内における種々の変更が可能である。
【図面の簡単な説明】
【００２４】
【図１】実施形態の二世帯カロートを備えた墓石の分解斜視図である。
【図２】実施形態のカロートと墓石の斜視図である。
【図３】実施形態における正面の四ツ石を示し、（Ａ）は斜視図、（Ｂ）は正面図である。
【図４】実施形態における香炉台（脚）を示し、（Ａ）は斜視図、（Ｂ）は平面図、（Ｃ）は正面図である。
【符号の説明】
【００２５】
１・・・二世帯カロートを備えた墓石
１０・・・二世帯カロート
１１・・・仕切
１２ａ，１２ｂ・・・納骨室
１３・・・貫通孔
２０・・・四ツ石
２１・・・正面の四ツ石
２２ａ，２２ｂ・・・納骨口
２３ａ，２３ｂ・・・平面部
３１・・・前置板
３２・・・香炉台載置板
３３・・・香炉台（脚部）
３４・・・香炉台（天板）
３５ａ，３５ｂ・・・香炉
３６，３７・・・花立
４１・・・背板
４２，４３・・・側板
４４，４５・・・中仕切
４６ａ，４６ｂ・・・通気口
４７，４８・・・開口
５１・・・中台
５２・・・上台
５３・・・竿石
【図１】
0003117055.tif 000003
【図２】
0003117055.tif 000004
【図３】
0003117055.tif 000005
【図４】
0003117055.tif 000006
【手続補正書】
【提出日】平成17年10月7日(2005.10.7)
【手続補正１】
【補正対象書類名】明細書
【補正対象項目名】００２２
【補正方法】変更
【補正の内容】
【００２２】
また、納骨室の換気用として設けた二つの通気口４６ａ，４６ｂも、外から見た目には中仕切４４，４５で仕切られているので、見た目に違和感がない。しかし、中仕切４４，４５の奧は連通されているので、仲の良い夫妻にとって、お互いの両親の遺骨が隔離されることがなく、さらに、納骨室の換気という実用的な意味の機能をも達成する。